(57)【要約】      （修正有）【課題】専用の操作つまみ以外の汎用工具によって回動プレートを回動することが不可能又は極めて困難となるようにして、補助ロック装置の防犯性を向上する。【解決手段】室外側の引き戸の横桟に室内から当接する第一ロック片３と、戸枠に係合する第二ロック片４と、両ロック片３，４の相対間隔を拡張又は縮小させるための操作機構５とを備えており、この操作機構５が、第一ロック片３又は第二ロック片４若しくはこれらの双方をケーシング２に対して相対移動させるべくケーシング２に回動自在に設けられた回動プレート１２と、この回動プレート１２の表面側に着脱自在に連結可能な操作つまみ１５とを有している引き戸の補助ロック装置において、回動プレート１２の表面側に、当該プレート１２の中心部分から径外方向に向かって延びる多数の係合突条１８を放射状に配列し、操作つまみ１５に、各係合突条１８のすべて又は一部が係合する係合片２４を設ける。【選択図】図１
2006090109.tif 000002
【特許請求の範囲】
【請求項１】
室外側の引き戸の横桟に室内から当接する第一ロック片と、前記引き戸が走行自在に嵌め込まれた戸枠に係合する第二ロック片と、これらのロック片がその間の相対間隔を変更できるように設けられているケーシングと、前記両ロック片の相対間隔を拡張又は縮小させるための操作機構とを備えており、この操作機構が、第一ロック片又は第二ロック片若しくはこれらの双方を前記ケーシングに対して相対移動させるべく前記ケーシングに回動自在に設けられた回動プレートと、この回動プレートの表面側に着脱自在に連結可能な操作つまみとを有している引き戸の補助ロック装置において、
前記回動プレートの表面側に、当該プレートの中心部分から径外方向に向かって延びる多数の係合突条が放射状に配列され、前記操作つまみに、前記各係合突条のすべて又は一部が係合する係合片が設けられていることを特徴とする引き戸の補助ロック装置。
【請求項２】
各係合突条は、回動プレートの径外方向に向かって次第に断面高さが低くなる形状に形成されている請求項１に記載の引き戸の補助ロック装置。
【発明の詳細な説明】
【技術分野】
【０００１】  本発明は、本来の錠装置とは別に室内外の両引き戸を補助的にロックするための引き戸の補助ロック装置に関する。
【背景技術】
【０００２】  例えば、建物の窓部や玄関を構成するアルミサッシは、戸枠に設けた内外二列のレールに室内外の引き戸を走行自在に設けることによって構成されており、これら室内外の引き戸の施錠は、一般に、両引き戸を閉鎖したときに戸枠の中央で重なり合う縦桟同士をいわゆるクレセント錠で固定することによって行われる。【０００３】  しかし、上記クレセント錠は、引き戸のガラスの一部を割って手を入れることで簡単に解錠される恐れがあるため、引き戸の防犯性をより向上させるべく、本来の錠装置とは別に補助ロック装置を設けることがある。そして、かかる補助ロック装置として、室外側の引き戸の横桟に室内から当接する第一ロック片と、その引き戸が走行自在に嵌め込まれた戸枠に係合する第二ロック片と、これらのロック片がその間の相対間隔を変更できるように設けられているケーシングと、両ロック片の相対間隔を拡張又は縮小するための操作機構とを備えたものがある（例えば、特許文献１参照）。【０００４】  上記操作機構は、第二ロック片をケーシングに対して相対移動させるべくケーシングに回動自在に設けられた回動プレートと、この回動プレートの表面側に着脱自在に連結可能な操作つまみとから構成されている。
従って、かかる従来の補助ロック装置によれば、両ロック片を室外側の引き戸と戸枠の間に嵌め込んだ状態でケーシングを窓枠にセットしたあと、第二ロック片を第一ロック片から離れる方向に操作機構を操作すると、室外側の引き戸が第一ロック片に押圧されて開かないようになるとともに、室内側の引き戸はケーシングそのものが邪魔になって開かないようになり、室内外の両引き戸をロックすることができる。
【特許文献１】  実公平７−１２５９６号公報
【発明の開示】
【発明が解決しようとする課題】
【０００５】  上記従来の補助ロック装置では、回動プレートの表面側に、その直径方向に延びるほぼ一文字状の係合凹部が形成され、この係合凹部とほぼ同じ横断面形状に形成された操作つまみのボス部を当該係合凹部に挿脱することにより、操作つまみを回動プレートに着脱自在に連結するようになっている。【０００６】  しかるに、上記従来の補助ロック装置における操作つまみの連結構造では、回動プレートの表面側にほぼ一文字状の係合凹部が形成されているので、先端部が細いドライバやプライヤの先端部をその係合凹部に差し込むことが可能になっている。このため、専用の回動部材として操作つまみを使用しなくても、それらのドライバやプライヤを用いて回動プレートを回動させて補助ロック装置によるロックが解除される恐れがある。【０００７】  そこで、本発明の課題は、専用の操作つまみ以外のドライバやプライヤ等の汎用工具によって回動プレートを回動することが不可能又は極めて困難となるようにして、補助ロック装置の防犯性を向上する点にある。
【課題を解決するための手段】
【０００８】  本発明は、上記課題を解決するために次の解決手段を採用した。
すなわち、本発明は、上記引き戸の補助ロック装置において、回動プレートの表面側に、当該プレートの中心部分から径外方向に向かって延びる多数の係合突条が放射状に配列され、操作つまみに、前記各係合突条のすべて又は一部が係合する係合片が設けられていることを特徴とする。【０００９】  上記補助ロック装置によれば、回動プレートの中心部分から径外方向に向かって延びる多数の係合突条を当該プレートの表面側に放射状に配列するようにしたので、ドライバやプライヤ等の先端部が細い工具を各係合突条のいずれかに容易に引っ掛けることができなくなり、かかる汎用工具によって回動プレートを回動することが不可能又は極めて困難となる。【００１０】  上記の本発明において、各係合突条を、回動プレートの径外方向に向かって次第に断面高さが低くなる形状に形成しておけば、ドライバやプライヤ等の汎用工具の先端部を各係合突条により引っ掛けにくくなり、補助ロック装置の防犯機能をよりいっそう向上させることができる。
【発明の効果】
【００１１】  以上の通り、本発明によれば、専用の操作つまみ以外のドライバやプライヤ等の汎用工具によって回動プレートを回動することが不可能又は極めて困難となるので、補助ロック装置の防犯性を向上することができる。
【発明を実施するための最良の形態】
【００１２】  以下、図面を参照しつつ、本発明の実施の形態を説明する。
図１〜図４は本発明の補助ロック装置１を示している。
図１に示すように、本実施形態の補助ロック装置１は、鋼材等の金属材料を平面視ほぼ四角形に形成してなるケーシング２と、このケーシング２の先端部に突設された第一ロック片３と、この第一ロック片３に対して接近離反自在となるようにケーシング２に設けられた第二ロック片４と、この第二ロック片４を移動させるための操作機構５とを備えている。【００１３】  第一及び第二ロック片３，４は、いずれもケーシング２の幅寸法にほぼ相当する長さを有する板材よりなり、ケーシング２の裏面側において互いに平行となるように同裏面側に突出して配置されている。
本実施形態では、上記第一及び第二ロック片３，４のうち、第一ロック片３の当接面側（図４の室外側：左側）に、ゴムパッド等よりなる弾性板材７が貼り付けられ、第二ロック片４の当接面側（図４の室内側：右側）にも、ゴムパッド等よりなる弾性板材８が固定されている。【００１４】  図２に示すように、ケーシング２は、その裏面側（図２（ｂ）の下側）に突出する前記第一ロック片３を長手方向一端に一体に有する裏面側が開放されたケース本体１０と、このケース本体１０の裏面側開放部を施蓋する蓋部材１１とからなり、ケース本体１０の中央部に形成した円形孔に円板状の回動プレート１２が回動自在に収納されている。
ケーシング２の内部には、上記回動プレート１２の回動に伴ってケース本体１０の長手方向（図２の左右方向）に移動するスライドプレート１３が設けられている。このスライドプレート１３の裏面側に第二ロック片４が突設され、この第二ロック片４は、前記蓋部材１１の中央部に形成されたガイド孔１４を貫通してケーシング２の裏面側に突出している。【００１５】  図１及び図２に示すように、回動プレート１２の表面中央部には操作つまみ１５との連結部１６が設けられており、この連結部１６は、回動プレート１２の中心部から一体に突設された円柱状の中央ピン１７と、この中央ピン１７の周囲に放射状に配置された多数（本実施形態では８つ）の係合突条１８とから構成されている。
この各係合突条１８は、回動プレート１２の中心部分から径外方向に向かって延びており、中央ピン１７の周囲に周方向等間隔おきに配列されている。また、この各係合突条１８は、回動プレート１２の径外方向に向かって次第に断面高さが低くなるように先細り形状に形成されている。【００１６】  図３に示すように、操作つまみ１５は、ユーザーの手による掴み代となる掴み部１９と、この掴み部１９に対して同心状となるように一体に連結された円筒状の回動ボス部２０とから構成されている。掴み部１９の周側面には、大小の滑り止め凹部２１，２２が形成され、回動ボス部２０の先端部には、多数の係合突条１８のうちの一部が嵌合する係合凹部２３が形成されている。
この係合凹部２３の内周面には複数（本実施形態では４つ）の係合片２４が径内側に突設されている。この各係合片２４は、回動プレート１２の係合突条１８同士の間にちょうど入り込む程度の大きさの断面ほぼ台形状に形成されており、操作つまみ１５の周方向に放射状に配列されている。【００１７】  従って、操作つまみ１５の回動ボス部２０の先端部を回動プレート１２の表面に当接させると、各係合突条１８が回動ボス部２０の係合凹部２３に挿通され、その内部の係合片２４に引っ掛かった状態で操作つまみ１５が回動プレート１２に連結される。このため、この状態で操作つまみ１５を回動することにより、回動プレート１２をケーシング２に対して相対回動することができる。
なお、係合片２４を係合突条１８と同じ数だけ形成するようにして、回動プレート１２側のすべての係合突条１８を操作つまみ１５側の係合片２４に係合させるようにしてもよい。【００１８】  図２に示すように、回動プレート１２の裏面には、同プレート１２の回動中心からの距離が漸次変化する渦巻き状に形成された螺旋リブ２６が一体に突設され、スライドプレート１３の表面には、その螺旋リブ２６に係合する複数の摺動片２７がケーシング２の長手方向に一定間隔おきに形成されている。このため、回動プレート１２を回動操作すると螺旋リブ２６が各摺動片２７に順送りに噛み合い、これによってスライドプレート１３とその裏面側の第二ロック片４がケーシング２の長手方向に移動し、第二ロック片４の第一ロック片３に対する相対間隔が拡張又は縮小されるようになっている。【００１９】  しかして、本実施形態では、上記操作つまみ１５、回動プレート１２及びこれと螺旋カムを介して連結されたスライドプレート１３とから、両ロック片３，４の相対間隔を拡張又は縮小するための前記操作機構５が構成されている。
次に、上記構成に係る補助ロック装置１の使用方法及び作用を説明する。
本実施形態の補助ロック装置１を使用するには、まず、操作つまみ１５を回動プレート１２に連結させて、第二ロック片４を第一ロック片３に対してできるだけ近づける方向に回動プレート１２を回動し、両ロック片３，４を室外側の引き戸２９と戸枠３１の室内段差３２の間に嵌め込んだ状態でケーシング２を窓枠の下部にセットする。【００２０】  その後、第二ロック片４が第一ロック片３から離れる方向に操作つまみ１５を回動すると、図４に示すように、第二ロック片４が弾性板材８を介して室内段差３２を押圧すると同時に、第一ロック片３が弾性板材７を介して室外側の引き戸２９の横桟３３を押圧し、これによって室外側の引き戸２９が開かないようになるとともに、室内側の引き戸３０はケーシング２そのものが邪魔になって開かないようになり、室内外の両引き戸３０，２９が同時にロックされることになる。
なお、上記のようにして補助ロック装置１をロックしたあとは、操作つまみ１５を回動プレート１２から取り外し、そのつまみ１５を侵入者の手が届かない場所に仕舞っておけばよい。【００２１】  このさい、本実施形態の補助ロック装置１によれば、回動プレート１２の中心部分から径外方向に向かって延びる多数の係合突条１８を当該プレート１２の表面側に放射状に配列するようにしたので、ドライバやプライヤ等の先端部が細い工具を各係合突条１８のいずれかに容易に引っ掛けることができなくなり、かかる汎用工具によって回動プレート１２を回動することが不可能又は極めて困難となり、補助ロック装置１の防犯性を向上することができる。
また、本実施形態では、各係合突条１８を、回動プレート１２の径外方向に向かって次第に断面高さが低くなる形状に形成してあり、この点からもドライバやプライヤ等の汎用工具の先端部を各係合突条１８に引っ掛け難くなっている。【００２２】  なお、本発明は上記実施形態に限定されるものではない。
例えば、第一ロック片３及び第二ロック片４はその間の相対間隔を変更できるようにケーシング２に設けられておれば足り、前者をケーシング２に対して移動させかつ後者をケーシング２に固定してもよいし、両者ともケーシング２に対して移動させてもよい。
また、図４に示す使用例では、補助ロック装置１を窓枠の下部にセットした場合を例示しているが、同装置１を窓枠の上部にもセットすることができる。
【図面の簡単な説明】
【００２３】
【図１】  本発明に係る補助ロック装置の斜視図である。
【図２】  （ａ）は本発明に係る補助ロック装置の平面図であり、（ｂ）は同補助ロック装置の側面図であり、（ｃ）は同補助ロック装置の背面図である。
【図３】  （ａ）は操作つまみの平面図であり、（ｂ）は同操作つまみの側面図であり、（ｃ）は同操作つまみの背面図である。
【図４】  本発明に係る補助ロック装置の使用例を示す窓枠の下部の断面図である。
【符号の説明】
【００２４】  １      補助ロック装置
２      ケーシング
３      第一ロック片
４      第二ロック片
５      操作機構
１３      回動プレート
１５      操作つまみ
１８      係合突条
２４      係合片
２９      引き戸（室外側）
３０      引き戸（室内側）
３１      戸枠
３３      横桟
【図１】
2006090109.tif 000003
【図２】
2006090109.tif 000004
【図３】
2006090109.tif 000005
【図４】
2006090109.tif 000006